(57)【要約】      （修正有）【課題】変形スペースが増加されるスイッチを提供する。【解決手段】スイッチ１００は、収納孔が形成される絶縁性本体１と、前記絶縁性本体１に固着され、固定接触部２１１を有する周辺端子２１と、前記絶縁性本体１に固着され、中央接触部２２１を有する中央端子２２と、及び可動接触部４０と周辺部４１とを有する可動端子４と、を備える。前記可動端子４の可動接触部４０が、通常状態において前記中央接触部２２１から離れ、接続状態において前記中央接触部２２１と接触する。前記可動端子４が、前記周辺部４１から下向きに突出する複数の突出部材を備える。前記複数の突出部材が、前記通常状態及び前記接続状態において前記固定接触部２１１に当接する一対の第１突出部４１１１を有する。前記一対の第１突出部４１１１が前記固定接触部２２１に支持されることによって、前記周辺部は前記固定接触部２２１から離れる。【選択図】図５
0003196674.tif 000002
【実用新案登録請求の範囲】
【請求項１】
収納孔が形成された絶縁性本体と、
前記絶縁性本体に固着され、固定接触部を有する周辺端子と、
前記絶縁性本体に固着され、中央接触部を有する中央端子と、
前記収納孔に収納され、可動接触部と周辺部とを有する可動端子と、
を備え、前記可動端子の可動接触部は、通常状態において前記中央接触部から離れ、接続状態において押圧されると前記中央接触部と接触し、
前記可動端子は、前記周辺部から下向きに突出する複数の突出部材を備え、前記複数の突出部材が、前記通常状態及び前記接続状態において前記固定接触部に当接する一対の第１突出部を有し、前記一対の第１突出部が前記固定接触部に支持されることによって、前記周辺部は前記固定接触部から離れることを特徴とするスイッチ。
【請求項２】
前記絶縁性本体には、前記中央端子の上に位置する保持部が設けられ、前記複数の突出部材が、前記保持部に保持される第２突出部を有することを特徴とする請求項１に記載のスイッチ。
【請求項３】
前記固定接触部の上表面と前記中央接触部の上表面とは、面一になることを特徴とする請求項１に記載のスイッチ。
【請求項４】
前記周辺部が円形に形成され、前記複数の突出部材は、前記周辺部に沿って均一に配置されることを特徴とする請求項１に記載のスイッチ。
【考案の詳細な説明】
【技術分野】
【０００１】
本考案は、スイッチに関し、特に、電子装置に用いる押圧可能なスイッチに関するものである。
【背景技術】
【０００２】
従来技術のスイッチは、絶縁性本体と、前記絶縁性本体に固定される中央端子と、周辺固定端子と、可動端子と、前記絶縁性本体に取り付けられる金属蓋体と、を備える。前記可動端子は、通常状態において前記中央端子から離れ、押圧された後接続状態において前記中央端子と接触する可動接触部と、周辺部と、を備える。前記可動端子の可動接触部は、前記通常状態において前記周辺固定端子から離れ、前記接続状態において前記周辺固定端子と接触する。
【先行技術文献】
【特許文献】
【０００３】
【特許文献１】中国実用新案第２００９８６８７４号明細書
【考案の概要】
【考案が解決しようとする課題】
【０００４】
前記スイッチの可動端子は突出部材を有しない。前記スイッチの可動接触部の頂点と固定接触部の間の上下方向の距離は、可動接触部の頂点と周辺部の間の上下方向の距離と同じである。可動接触部の上下方向の変形スペースは、可動接触部の頂点と周辺部の間の上下方向の距離に対応する。この変形スペースは小さい。
【０００５】
そこで本考案は、上述される従来技術の問題に鑑み、変形スペースが増加されるスイッチを提供することを目的とする。
【課題を解決するための手段】
【０００６】
前記目的を達成するために、本考案のスイッチは、収納孔が形成される絶縁性本体と、前記絶縁性本体に固着され、固定接触部を有する周辺端子と、前記絶縁性本体に固着され、中央接触部を有する中央端子と、及び可動接触部と周辺部とを有する可動端子と、を備える。前記可動端子の可動接触部が、通常状態において前記中央接触部から離れ、接続状態において前記中央接触部と接触する。前記可動端子が、前記周辺部から下向きに突出する複数の突出部材を備える。前記複数の突出部材が、前記通常状態及び前記接続状態において前記固定接触部に当接する一対の第１突出部を有する。前記一対の第１突出部が前記固定接触部に支持されることによって、前記周辺部は前記固定接触部から離れる。
【考案の効果】
【０００７】
従来技術と比べると、本考案は以下の長所を有する。本考案の前記第１突出部によって、前記可動端子の可動接触部の頂点と固定接触部の間の上下方向の距離は、可動接触部の頂点と周辺部の間の上下方向の距離より大きい。したがって、前記可動端子の上下方向の変形スペースを大きくすることが可能となる。
【図面の簡単な説明】
【０００８】
【図１】本考案のスイッチの組立斜視図である。
【図２】図１に示すスイッチの別の角度から見た組立斜視図である。
【図３】図１に示すスイッチの部分の分解斜視図である。
【図４】図３に示すスイッチの分解斜視図である。
【図５】図４に示すスイッチの別の角度から見た分解斜視図である。
【図６】図１に示す通常状態におけるスイッチの線Ａ−Ａに沿った断面図である。
【図７】図１に示す接続状態におけるスイッチの線Ａ−Ａに沿った断面図である。
【考案を実施するための形態】
【０００９】
図１〜図６を参照すると、本考案のスイッチ１００は、回路基板（図示せず）に取り付けられ、絶縁性本体１と、前記絶縁性本体１に取り付けられる周辺端子２１と、中央端子２２と、可動端子４と、ハウジング３と、を備える。
【００１０】
前記絶縁性本体１は、収納孔１０が形成された箱状に製造される。前記絶縁性本体１は、底壁１１と、前記底壁１１から上向きに延在する周囲壁１２とを有する。前記底壁１１と周囲壁１２によって、収納孔１０が形成される。前記底壁１１には、前記中央端子２２を収納する第１端子溝１３と、前記周辺端子２１を収納する第２端子溝１４とが形成される。第１端子溝１３には、複数の係合溝１３１が形成される。前記絶縁性本体１には、前記底壁１１の上方に配置される保持部１５と、複数の係止部１８とが設けられる。
【００１１】
前記周辺端子２１は、実施的に“凹”字状に形成される固定接触部２１１と、前記固定接触部２１１から延在する一対の周辺足部２１３とを有する。前記中央端子２２は、中央接触部２２１と、前記中央接触部２２１と連接する中央連接部２２３と、前記中央連接部２２３の両端から延在する一対の中央足部２２５とを有する。前記中央接触部２２１には、複数の係合部２２６が設けられる。
【００１２】
前記可動端子４は、ドーム状に形成され、可動接触部４０と、円形の周辺部４１とを有する。前記可動端子４は、前記周辺部４１から下向きにパンチされることによって形成され、下向きに突出する複数の突出部材４１１を備える。前記複数の突出部材４１１は、前記周辺部４１に沿って均一に配置される。図４及び図５に示すように、前記複数の突出部材４１１は、一対の第１突出部４１１１と一対の第２突出部４１１２を含む四つの突出部材４１１を含む。他の実施形態において、前記複数の突出部材４１１は、一対の第１突出部４１１１と一つの第２突出部４１１２を含む三つの突出部材４１１を含む。
【００１３】
前記スイッチ１００を組み立てる場合、前記周辺端子２１と中央端子２２とは、前記絶縁性本体１の底壁１１に固着される。前記固定接触部２１１は、前記中央端子２２の中央接触部２２１の周囲に配置される。前記中央端子２２の係合部２２６が前記複数の係合溝１３１と係合する。前記周辺端子２１が前記複数の係止部１８と係合する。図６に示すように、前記固定接触部２１１の上表面と前記中央接触部２２１と底壁１１の上表面とは、面一になる。前記保持部１５は、前記中央端子２２の上に位置する。前記可動端子４は、前記収納孔１０に収納される。前記ハウジング３は、前記絶縁性本体１に取り付けられる。
【００１４】
図６に示すように、通常状態において、前記可動端子４の一対の第１突出部４１１１が、前記周辺端子２１の固定接触部２１１と接触する形態で保持される。可動端子４の第２突出部４１１２は、前記絶縁性本体１の保持部１５の上に保持され、中央端子２２と接触しない。前記可動端子４の可動接触部４０は、前記中央端子２２の中央接触部２２１から離れた形態で保持される。
【００１５】
図７に示すように、前記可動端子４の可動接触部４０が下向きに押圧される時、前記可動接触部４０が中央端子２２の中央接触部２２１と接触する。周辺端子２１と中央端子２２とは、可動端子４によって接続される。前記可動端子４が押圧されない時、前記可動端子４の弾性によって、前記可動端子４は、元の状態に戻る。
【００１６】
前記複数の突出部材４１１の一対の第１突出部４１１１は、通常状態及び接続状態において前記固定接触部２１１に当接する。前記第１突出部４１１１が前記固定接触部２１１に支持されることによって、前記周辺部４１は、前記固定接触部２１１から離される。突出部材４１１を有しない従来技術のスイッチの可動接触部４０の頂点と固定接触部２１１の間の上下方向の距離は、可動接触部４０の頂点と周辺部４１の間の上下方向の距離と同じである。しかし、本考案においては、前記突出部材４１１によって、前記可動端子４の可動接触部４０の頂点と固定接触部２１１の間の上下方向の距離は、可動接触部４０の頂点と周辺部４１の間の上下方向の距離より大きくなる。したがって、前記可動端子４の上下方向の変形スペースを大きくすることが可能となる。
【００１７】
以上、本考案について好ましい実施形態を参照して詳細に説明したが、実施形態はあくまでも例示的なものであり、これらに限定されるものではない。また上述の説明において、本考案に基づき成し得る細部の修正或いは変更などは、いずれも本考案の技術的範囲に属するものである。
【符号の説明】
【００１８】
１００  スイッチ
１  絶縁性本体
１０  収納孔
１１  底壁
１２  周囲壁
１３  第１端子溝
１３１  係合溝
１４  第２端子溝
１５  保持部
１６  貫通溝
１７  制限部
１８  係止部
２１  周辺端子
２１１  固定接触部
２１３  周辺足部
２２  中央端子
２２１  中央接触部
２２３  中央連接部
２２５  中央足部
２２６  係合部
３  ハウジング
４  可動端子
４０  可動接触部
４１  周辺部
４１１  突出部材
４１１１  第１突出部
４１１２  第２突出部  
【図１】
0003196674.tif 000003
【図２】
0003196674.tif 000004
【図３】
0003196674.tif 000005
【図４】
0003196674.tif 000006
【図５】
0003196674.tif 000007
【図６】
0003196674.tif 000008
【図７】
0003196674.tif 000009